(57)【要約】【課題】カラーホールの出射光量変化期間を使用する投写型映像表示装置において、色ムラのない映像を提供する。【解決手段】光源の出射光量を制御する光源制御部と、輝度分布均一化素子の出射側に配置されたカラーホイールと、光変調素子により変調された光を投写する投写レンズとを備えた投写型映像表示装置において、光源制御部は、カラーホイールのセグメント毎に光源の出射光量を制御すると共に、輝度への貢献度が大きい色成分を有するセグメント前後の出射光量変化期間における前記光源の出射光量の増減率が全て相殺されるように制御する、或いは、輝度への貢献度が大きい色成分を有するセグメント前後の出射光量変化期間における光源の出射光量の増減率を相殺した値の絶対値の方が、輝度への貢献度が小さい色成分を有するセグメント前後の出射光量変化期間における前記光源の出射光量の増減率を相殺した値の絶対値よりも小さくなるように制御する。【選択図】図７
2015170876.tif 000002
【特許請求の範囲】
【請求項１】
光源と、
光源の出射光量を制御する光源制御部と、
光源からの出射光の輝度分布を均一化する輝度分布均一化素子と、
輝度分布均一化素子の出射側に配置され、前記輝度分布均一化素子から出射された光が透過するカラーホイールと、
カラーホイールを透過した光を変調する光変調素子と、
光変調素子により変調された光を投写する投写レンズと、
を備えた投写型映像表示装置において、
前記カラーホイールは、輝度への貢献度が大きい色成分を有するセグメントと、輝度への貢献度が小さい色成分を有するセグメントとを有し、
前記光源制御部は、カラーホイールのセグメント毎に前記光源の出射光量を制御すると共に、輝度への貢献度が大きい色成分を有するセグメント前後の出射光量変化期間における前記光源の出射光量の増減率が全て相殺されるように制御する、或いは、輝度への貢献度が大きい色成分を有するセグメント前後の出射光量変化期間における前記光源の出射光量の増減率を相殺した値の絶対値の方が、輝度への貢献度が小さい色成分を有するセグメント前後の出射光量変化期間における前記光源の出射光量の増減率を相殺した値の絶対値よりも小さくなるように制御することを特徴とする投写型映像表示装置。
【請求項２】
光源と、
光源の出射光量を制御する光源制御部と、
光源からの出射光の輝度分布を均一化する輝度分布均一化素子と、
輝度分布均一化素子の出射側に配置され、前記輝度分布均一化素子から出射された光が透過するカラーホイールと、
カラーホイールを透過した光を変調する光変調素子と、
光変調素子により変調された光を投写する投写レンズと、
を備えた投写型映像表示装置において、
前記カラーホイールは、緑色光を生成する緑色セグメントと、赤色光を生成する赤色セグメントと、青色光を生成する青色セグメントとの３色のセグメントにより構成され、
前記緑色セグメントと緑色セグメントより前に配置されたセグメントとの出射光量変化期間における光源の出射光量の変化率と、前記緑色セグメントと緑色グメントより後に配置されたセグメントとの出射光量変化期間における光源の出射光量の変化率とを合算した値を、輝度への貢献度が大きい色成分の出射光量変化率合算値とし、
前記赤色セグメントと赤色セグメントより前に配置されたセグメントとの出射光量変化期間における光源の出射光量の変化率と、前記赤色セグメントと赤色グメントより後に配置されたセグメントとの出射光量変化期間における光源の出射光量の変化率とを合算した値と、
前記青色セグメントと青色セグメントより前に配置されたセグメントとの出射光量変化期間における光源の出射光量の変化率と、前記青色セグメントと青色グメントより後に配置されたセグメントとの出射光量変化期間における光源の出射光量の変化率とを合算した値との合算値を、輝度への貢献度が小さい色成分の出射光量変化率合算値とした場合、
前記光源制御部は、カラーホイールのセグメント毎に前記光源の出射光量を制御すると共に、前記輝度への貢献度が大きい色成分の出射光量変化率合算値が０、或いは、前記輝度への貢献度が大きい色成分の出射光量変化率合算値の方が、前記輝度への貢献度が小さい色成分の出射光量変化率合算値よりも０に近くなるように前記光源の出射光量を制御することを特徴とする投写型映像表示装置。
【請求項３】
光源と、
光源の出射光量を制御する光源制御部と、
光源からの出射光の輝度分布を均一化する輝度分布均一化素子と、
輝度分布均一化素子の出射側に配置され、前記輝度分布均一化素子から出射された光が透過するカラーホイールと、
カラーホイールを透過した光を変調する光変調素子と、
光変調素子により変調された光を投写する投写レンズと、
を備えた投写型映像表示装置において、
前記カラーホイールは、緑色光を生成する緑色セグメントと、赤色光を生成する赤色セグメントと、青色光を生成する青色セグメントと、
前記３色の色成分光を全て或いは前記３色の色成分光の内２色の色成分光を含んだ第４色光を生成、または、前記３色の何れかの単色で前記単色とはピークの波長帯が異なる第４色を生成する第４色セグメントとの４色のセグメントにより構成され、
前記第４色セグメントが緑色成分を含んでいる場合には、
前記緑色セグメントと緑色セグメントより前に配置されたセグメントとの出射光量変化期間における光源の出射光量の変化率と、前記緑色セグメントと緑色グメントより後に配置されたセグメントとの出射光量変化期間における光源の出射光量の変化率とを合算した値と、
前記第４色セグメントと第４色セグメントより前に配置されたセグメントとの出射光量変化期間における光源の出射光量の変化率と、前記第４色セグメントと第４色グメントより後に配置されたセグメントとの出射光量変化期間における光源の出射光量の変化率と、を合算した値と、を合計した合計値を、輝度への貢献度が大きい色成分の出射光量変化率合算値とし、
前記第４色セグメントが緑色成分を含んでいない場合には、
前記緑色セグメントと緑色セグメントより前に配置されたセグメントとの出射光量変化期間における光源の出射光量の変化率と、前記緑色セグメントと緑色グメントより後に配置されたセグメントとの出射光量変化期間における光源の出射光量の変化率とを合算した値を、輝度への貢献度が大きい色成分の出射光量変化率合算値とし、
前記第４色セグメントが赤色成分を含んでいる場合には、
前記赤色セグメントと赤色セグメントより前に配置されたセグメントとの出射光量変化期間における光源の出射光量の変化率と、前記赤色セグメントと赤色セグメントより後に配置されたセグメントとの出射光量変化期間における光源の出射光量の変化率とを合算した値と、
前記第４色セグメントと第４色セグメントより前に配置されたセグメントとの出射光量変化期間における光源の出射光量の変化率と、前記第４色セグメントと第４色セグメントより後に配置されたセグメントとの出射光量変化期間における光源の出射光量の変化率と、を合算した値と、を合計した合計値を、輝度への貢献度が小さい第１色成分の出射光量変化率合算値とし、
前記第４色セグメントが赤色成分を含んでいない場合には、
前記赤色セグメントと赤色セグメントより前に配置されたセグメントとの出射光量変化期間における光源の出射光量の変化率と、前記赤色セグメントと赤色セグメントより後に配置されたセグメントとの出射光量変化期間における光源の出射光量の変化率とを合算した値を、輝度への貢献度が小さい第１色成分の出射光量変化率合算値とし、
前記第４色セグメントが青色成分を含んでいる場合には、
前記青色セグメントと青色セグメントより前に配置されたセグメントとの出射光量変化期間における光源の出射光量の変化率と、前記青色セグメントと青色グメントより後に配置されたセグメントとの出射光量変化期間における光源の出射光量の変化率とを合算した値と、
前記第４色セグメントと第４色セグメントより前に配置されたセグメントとの出射光量変化期間における光源の出射光量の変化率と、前記第４色セグメントと第４色セグメントより後に配置されたセグメントとの出射光量変化期間における光源の出射光量の変化率と、を合算した値と、を合計した合計値を、輝度への貢献度が小さい第２色成分の出射光量変化率合算値とし、
前記第４色セグメントが青色成分を含んでいない場合には、
前記青色セグメントと青色セグメントより前に配置されたセグメントとの出射光量変化期間における光源の出射光量の変化率と、前記青色セグメントと青色グメントより後に配置されたセグメントとの出射光量変化期間における光源の出射光量の変化率とを合算した値を、輝度への貢献度が小さい第２色成分の出射光量変化率合算値とした場合、
前記光源制御部は、カラーホイールのセグメント毎に前記光源の出射光量を制御すると共に、前記輝度への貢献度が大きい色成分の出射光量変化率合算値が０、或いは、前記輝度への貢献度が大きい色成分の出射光量変化率合算値の方が、前記輝度への貢献度が小さい第１色成分の出射光量変化率合算値及び前記輝度への貢献度が小さい第２色成分の出射光量変化率合算値よりも０に近くなるように前記光源の出射光量を制御することを特徴とする投写型映像表示装置。
【請求項４】
光源と、
光源の出射光量を制御する光源制御部と、
光源からの出射光の輝度分布を均一化する輝度分布均一化素子と、
輝度分布均一化素子の出射側に配置され、前記輝度分布均一化素子から出射された光が透過するカラーホイールと、
カラーホイールを透過した光を変調する光変調素子と、
光変調素子により変調された光を投写する投写レンズと、
を備えた投写型映像表示装置において、
前記カラーホイールは、緑色光を生成する緑色セグメントと、赤色光を生成する赤色セグメントと、青色光を生成する青色セグメントと、
前記３色の色成分光を全て或いは前記３色の色成分光の内２色の色成分光を含んだ第４色光を生成、または、前記３色の何れかの単色で前記単色とは波長が異なる第４色を生成する第４色セグメントと、
前記３色の色成分光を全て或いは前記３色の色成分光の内２色の色成分光を含んだ前記第４色光とは異なる第５色光を生成、または、前記３色の何れかの単色で前記単色とはピークの波長帯が異なり前記第４色光とは異なる第５色光を生成する第５色セグメントとの５色のセグメントにより構成され、
前記緑色セグメントと緑色セグメントより前に配置されたセグメントとの出射光量変化期間における光源の出射光量の変化率と、前記緑色セグメントと緑色グメントより後に配置されたセグメントとの出射光量変化期間における光源の出射光量の変化率とを合算した値と、
緑色成分を含んだ第４色セグメント及び／または第５色セグメントと第４色セグメント及び／または第５色セグメントより前に配置されたセグメントとの出射光量変化期間における光源の出射光量の変化率と、前記第４色セグメント及び／または第５色セグメントと第４色グメント及び／または第５色セグメントより後に配置されたセグメントとの出射光量変化期間における光源の出射光量の変化率と、を緑色成分を含んだ色セグメント毎に合算した値と、を合計した合計値を、輝度への貢献度が大きい色成分の出射光量変化率合算値とし、
前記赤色セグメントと赤色セグメントより前に配置されたセグメントとの出射光量変化期間における光源の出射光量の変化率と、前記赤色セグメントと赤色セグメントより後に配置されたセグメントとの出射光量変化期間における光源の出射光量の変化率とを合算した値と、
赤色成分を含んだ第４色セグメント及び／または第５色セグメントと第４色セグメント及び／または第５色セグメントより前に配置されたセグメントとの出射光量変化期間における光源の出射光量の変化率と、前記第４色セグメント及び／または第５色セグメントと第４色セグメント及び／または第５色セグメントより後に配置されたセグメントとの出射光量変化期間における光源の出射光量の変化率と、を赤色成分を含んだ色セグメント毎に合算した値と、を合計した合計値を、輝度への貢献度が小さい第１色成分の出射光量変化率合算値とし、
前記青色セグメントと青色セグメントより前に配置されたセグメントとの出射光量変化期間における光源の出射光量の変化率と、前記青色セグメントと青色グメントより後に配置されたセグメントとの出射光量変化期間における光源の出射光量の変化率とを合算した値と、
青色成分を含んだ第４色セグメント及び／または第５色セグメントと第４色セグメント及び／または第５色セグメントより前に配置されたセグメントとの出射光量変化期間における光源の出射光量の変化率と、前記第４色セグメント及び／または第５色セグメントと第４色セグメント及び／または第５色セグメントより後に配置されたセグメントとの出射光量変化期間における光源の出射光量の変化率と、を青色成分を含んだ色セグメント毎に合算した値と、を合計した合計値を、輝度への貢献度が小さい第２色成分の出射光量変化率合算値とした場合、
前記光源制御部は、カラーホイールのセグメント毎に前記光源の出射光量を制御すると共に、前記輝度への貢献度が大きい色成分の出射光量変化率合算値が０、或いは、前記輝度への貢献度が大きい色成分の出射光量変化率合算値の方が、前記輝度への貢献度が小さい第１色成分の出射光量変化率合算値及び前記輝度への貢献度が小さい第２色成分の出射光量変化率合算値よりも０に近くなるように前記光源の出射光量を制御することを特徴とする投写型映像表示装置。
【請求項５】
光源と、
光源の出射光量を制御する光源制御部と、
光源からの出射光の輝度分布を均一化する輝度分布均一化素子と、
輝度分布均一化素子の出射側に配置され、前記輝度分布均一化素子から出射された光が透過するカラーホイールと、
カラーホイールを透過した光を変調する光変調素子と、
光変調素子により変調された光を投写する投写レンズと、
を備えた投写型映像表示装置において、
前記カラーホイールは、緑色光を生成する緑色セグメントと、赤色光を生成する赤色セグメントと、青色光を生成する青色セグメントと、
前記３色の色成分光を全て或いは前記３色の色成分光の内２色の色成分光を含んだ第４色光を生成、または、前記３色の何れかの単色で前記単色とは波長が異なる第４色を生成する第４色セグメントと、
前記３色の色成分光を全て或いは前記３色の色成分光の内２色の色成分光を含んだ前記第４色光とは異なる第５色光を生成、または、前記３色の何れかの単色で前記単色とはピークの波長帯が異なり前記第４色とは異なる第５色を生成する第５色セグメントと、
前記３色の色成分光を全て或いは前記３色の色成分光の内２色の色成分光を含んだ前記第４色光及び第５色光とは異なる第６色光を生成、または、前記３色の何れかの単色で前記単色とは波長が異なり前記第４色光及び第５色光とは異なる第６色を生成する第６色セグメントとの６色のセグメントにより構成され、
前記緑色セグメントと緑色セグメントより前に配置されたセグメントとの出射光量変化期間における光源の出射光量の変化率と、前記緑色セグメントと緑色グメントより後に配置されたセグメントとの出射光量変化期間における光源の出射光量の変化率とを合算した値と、
緑色成分を含んだ第４色セグメント乃至第６色セグメントと第４色セグメント乃至第６色セグメントより前に配置されたセグメントとの出射光量変化期間における光源の出射光量の変化率と、前記第４色セグメント乃至第６色セグメントと第４色グメント乃至第６色セグメントより後に配置されたセグメントとの出射光量変化期間における光源の出射光量の変化率と、を緑色成分を含んだ色セグメント毎に合算した値と、を合計した合計値を、輝度への貢献度が大きい色成分の出射光量変化率合算値とし、
前記赤色セグメントと赤色セグメントより前に配置されたセグメントとの出射光量変化期間における光源の出射光量の変化率と、前記赤色セグメントと赤色セグメントより後に配置されたセグメントとの出射光量変化期間における光源の出射光量の変化率とを合算した値と、
赤色成分を含んだ第４色セグメント乃至第６色セグメントと第４色セグメント乃至第６色セグメントより前に配置されたセグメントとの出射光量変化期間における光源の出射光量の変化率と、前記第４色セグメント乃至第６色セグメントと第４色セグメント及び第６色セグメントより後に配置されたセグメントとの出射光量変化期間における光源の出射光量の変化率と、を赤色成分を含んだ色セグメント毎に合算した値と、を合計した合計値を、輝度への貢献度が小さい第１色成分の出射光量変化率合算値とし、
前記青色セグメントと青色セグメントより前に配置されたセグメントとの出射光量変化期間における光源の出射光量の変化率と、前記青色セグメントと青色グメントより後に配置されたセグメントとの出射光量変化期間における光源の出射光量の変化率とを合算した値と、
青色成分を含んだ第４色セグメント乃至第６色セグメントと第４色セグメント乃至第６色セグメントより前に配置されたセグメントとの出射光量変化期間における光源の出射光量の変化率と、前記第４色セグメント乃至第６色セグメントと第４色セグメント乃至第６色セグメントより後に配置されたセグメントとの出射光量変化期間における光源の出射光量の変化率と、を青色成分を含んだ色セグメント毎に合算した値と、を合計した合計値を、輝度への貢献度が小さい第２色成分の出射光量変化率合算値とした場合、
前記光源制御部は、カラーホイールのセグメント毎に前記光源の出射光量を制御すると共に、前記輝度への貢献度が大きい色成分の出射光量変化率合算値が０、或いは、前記輝度への貢献度が大きい色成分の出射光量変化率合算値の方が、前記輝度への貢献度が小さい第１色成分の出射光量変化率合算値及び前記輝度への貢献度が小さい第２色成分の出射光量変化率合算値よりも０に近くなるように前記光源の出射光量を制御することを特徴とする投写型映像表示装置。
【請求項６】
光源と、
光源の出射光量を制御する光源制御部と、
光源からの出射光の輝度分布を均一化する輝度分布均一化素子と、
輝度分布均一化素子の出射側に配置され、前記輝度分布均一化素子から出射された光が透過するカラーホイールと、
カラーホイールを透過した光を変調する光変調素子と、
光変調素子により変調された光を投写する投写レンズと、
を備えた投写型映像表示装置において、
前記カラーホイールは、緑色光を生成する緑色セグメントと、赤色光を生成する赤色セグメントと、青色光を生成する青色セグメントと、
前記３色の色成分光を全て或いは前記３色の色成分光の内２色の色成分光を含んだ第４色光を生成、または、前記３色の何れかの単色で前記単色とは波長が異なる第４色を生成する第４色セグメントと、
前記３色の色成分光を全て或いは前記３色の色成分光の内２色の色成分光を含んだ前記第４色光とは異なる第５色光を生成、または、前記３色の何れかの単色で前記単色とはピークの波長帯が異なり前記第４色光とは異なる第５色光を生成する第５色セグメントと、
前記３色の色成分光を全て或いは前記３色の色成分光の内２色の色成分光を含んだ前記第４色光及び第５色光とは異なる第６色光を生成、または、前記３色の何れかの単色で前記単色とは波長が異なり前記第４色光及び第５色光とは異なる第６色光を生成する第６色セグメントと、
前記３色の色成分光を全て或いは前記３色の色成分光の内２色の色成分光を含んだ前記第４色光乃至第６色光とは異なる第７色光を生成、または、前記３色の何れかの単色で前記単色とは波長が異なり前記第４色光乃至第６色光とは異なる第４色光を生成する第７色セグメントとの７色のセグメントにより構成され、
前記緑色セグメントと緑色セグメントより前に配置されたセグメントとの出射光量変化期間における光源の出射光量の変化率と、前記緑色セグメントと緑色グメントより後に配置されたセグメントとの出射光量変化期間における光源の出射光量の変化率とを合算した値と、
緑色成分を含んだ第４色セグメント乃至第７色セグメントと第４色セグメント乃至第７色セグメントより前に配置されたセグメントとの出射光量変化期間における光源の出射光量の変化率と、前記第４色セグメント乃至第７色セグメントと第４色グメント乃至第７色セグメントより後に配置されたセグメントとの出射光量変化期間における光源の出射光量の変化率と、を緑色成分を含んだ色セグメント毎に合算した値と、を合計した合計値を、輝度への貢献度が大きい色成分の出射光量変化率合算値とし、
前記赤色セグメントと赤色セグメントより前に配置されたセグメントとの出射光量変化期間における光源の出射光量の変化率と、前記赤色セグメントと赤色セグメントより後に配置されたセグメントとの出射光量変化期間における光源の出射光量の変化率とを合算した値と、
赤色成分を含んだ第４色セグメント乃至第７色セグメントと第４色セグメント乃至第７色セグメントより前に配置されたセグメントとの出射光量変化期間における光源の出射光量の変化率と、前記第４色セグメント乃至第７色セグメントと第４色セグメント及び第７色セグメントより後に配置されたセグメントとの出射光量変化期間における光源の出射光量の変化率と、を赤色成分を含んだ色セグメント毎に合算した値と、を合計した合計値を、輝度への貢献度が小さい第１色成分の出射光量変化率合算値とし、
前記青色セグメントと青色セグメントより前に配置されたセグメントとの出射光量変化期間における光源の出射光量の変化率と、前記青色セグメントと青色グメントより後に配置されたセグメントとの出射光量変化期間における光源の出射光量の変化率とを合算した値と、
青色成分を含んだ第４色セグメント乃至第７色セグメントと第４色セグメント乃至第７色セグメントより前に配置されたセグメントとの出射光量変化期間における光源の出射光量の変化率と、前記第４色セグメント乃至第７色セグメントと第４色セグメント乃至第７色セグメントより後に配置されたセグメントとの出射光量変化期間における光源の出射光量の変化率と、を青色成分を含んだ色セグメント毎に合算した値と、を合計した合計値を、輝度への貢献度が小さい第２色成分の出射光量変化率合算値とした場合、
前記光源制御部は、カラーホイールのセグメント毎に前記光源の出射光量を制御すると共に、前記輝度への貢献度が大きい色成分の出射光量変化率合算値が０、或いは、前記輝度への貢献度が大きい色成分の出射光量変化率合算値の方が、前記輝度への貢献度が小さい第１色成分の出射光量変化率合算値及び前記輝度への貢献度が小さい第２色成分の出射光量変化率合算値よりも０に近くなるように前記光源の出射光量を制御することを特徴とする投写型映像表示装置。
【発明の詳細な説明】
【技術分野】
【０００１】
本開示は、時分割カラー表示のプロジェクタ等の投写型映像表示装置に関する。
【背景技術】
【０００２】
特許文献１のプロジェクタには、カラーホイールの各セグメント(例えば、Ｒ，Ｇ，Ｗ、Ｂ)の色の出射光量変化期間(例えば、Ｒ→Ｇ、Ｇ→Ｗ、Ｗ→Ｂ、Ｂ→Ｒ)での光を利用することにより高輝度化を実現する技術が開示されている。
【０００３】
また、特許文献２の映像投射装置には、カラーホイールのセグメント毎に光源の出射光量を変更(例えば、Ｗ、Ｇの出射光量を増加、Ｒ、Ｂの出射光量を低下)することにより高輝度化を実現する技術についても開示されている。
【先行技術文献】
【特許文献】
【０００４】
【特許文献１】特開２００７−１８９６５０号公報
【特許文献２】特開２００８−２９２６０７号公報
【発明の概要】
【発明が解決しようとする課題】
【０００５】
しかしながら、特許文献１及び特許文献２の技術を組み合わせて更なる高輝度化を行う際には、図２に示すようにカラーホイールがロッドインテグレータの出射側にある場合に色ムラが発生するという課題があった。
【課題を解決するための手段】
【０００６】
本開示における投写型映像表示装置は、光源と、光源の出射光量を制御する光源制御部と、光源からの出射光の輝度分布を均一化する輝度分布均一化素子と、
輝度分布均一化素子の出射側に配置され、前記輝度分布均一化素子から出射された光が透過するカラーホイールと、カラーホイールを透過した光を変調する光変調素子と、光変調素子により変調された光を投写する投写レンズとを備えた投写型映像表示装置において、前記カラーホイールは、輝度への貢献度が大きい色成分を有するセグメントと、輝度への貢献度が小さい色成分を有するセグメントとを有し、前記光源制御部は、カラーホイールのセグメント毎に前記光源の出射光量を制御すると共に、輝度への貢献度が大きい色成分を有するセグメント前後の出射光量変化期間における前記光源の出射光量の増減率が全て相殺されるように制御する、或いは、輝度への貢献度が大きい色成分を有するセグメント前後の出射光量変化期間における前記光源の出射光量の増減率を相殺した値の絶対値の方が、輝度への貢献度が小さい色成分を有するセグメント前後の出射光量変化期間における前記光源の出射光量の増減率を相殺した値の絶対値よりも小さくなるように制御することを特徴とする。
【発明の効果】
【０００７】
本制御により、色ムラが視認されやすい高輝度セグメントと同色の色ムラを低減させることができ、色出射光量変化期間の色ムラを視認できないレベルまで改善することができる。
【図面の簡単な説明】
【０００８】
【図１】第１実施形態に係るプロジェクタ１００の概要を示す図である。
【図２】第１実施形態に係るプロジェクタ１００の全体構成を示す図である。
【図３】第１実施形態に係るプロジェクタ１００の制御ユニットを示すブロック図である。
【図４】第１実施形態に係るプロジェクタ１００の３色のカラーホイールのセグメントの電流制御による明るさの変化量を示すイメージ図である。
【図５】３色カラーホイールのセグメント毎の光源の出射光量を変化させない場合の明るさの変化量を示すイメージ図である。
【図６】３色カラーホイールのセグメント毎の光源の出射光量を変化させた場合の明るさの変化量を示すイメージ図である。
【図７】第２実施形態に係るプロジェクタ１００の３色カラーホイールのセグメント毎の光源の出射光量を変化させた場合の明るさの変化量を示すイメージ図である。
【図８】第３実施形態に係るプロジェクタ１００の４色のカラーホイールのセグメントの電流制御による明るさの変化量を示すイメージ図である。
【図９】４色カラーホイールのセグメント毎の光源の出射光量を変化させた場合の明るさの変化量を示すイメージ図である。
【図１０】第４実施形態に係るプロジェクタ１００の３色カラーホイールのセグメント毎の光源の出射光量を変化させた場合の明るさの変化量を示すイメージ図である。
【図１１】第５実施形態に係るプロジェクタ１００のカラーホイールのセグメント毎の光源の出射光量を制御するブロック図である。
【発明を実施するための形態】
【０００９】
以下において、本発明の実施形態に係るプロジェクタについて、図面を参照しながら説明する。なお、以下の図面の記載において、同一又は類似の部分には、同一又は類似の符号を付している。
【００１０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
（第１実施形態）
（本実施形態の概要）
プロジェクタの概要について図１及び図２を用いて説明する。図１は、プロジェクタの外観斜視図である。図２は、プロジェクタの構成図である。
【００１１】
プロジェクタ１００は、白色光を出射する複数の光源１０と、複数の光源１０からの出射光を均一化するロッドインテグレータ１５と、各色を生成する透過型のカラーホイール２０と、プリズム３０にカラーホイール２０を透過した光を導く導光光学系２５と、デジタルミラーデバイス（以下、ＤＭＤ３５と称する）と、投写レンズ４０とを備える。
【００１２】
プロジェクタ１００は、光源１０からの白色光をカラーホイール２０に透過させてＤＭＤ３５で反射することで映像を生成する。プロジェクタ１００は、生成した映像を、投写レンズ４０を介してスクリーン１１０に投影する。
【００１３】
（プロジェクタの構成）
以下において、実施の形態に係るプロジェクタの構成について、図面を参照しながら説明する。
【００１４】
図３は、第１実施形態に係るプロジェクタの制御ユニットを示すブロック図である。図３に示すように、制御ユニット４５は、信号受付部５０と、光源制御部５５と、素子制御部６０と、ホイール制御部６５とを有する。
【００１５】
信号受付部５０は、ＤＶＤやＴＶチューナなどの外部機器から映像入力信号を受け付ける。光源制御部５５はカラーホイール２０に同期して、光源１０の出射光量を制御することで、カラーホイール２０の各セグメント毎の光源１０からの出射光量を調整する。
【００１６】
素子制御部６０は、光変調素子としてのＤＭＤ３５を制御する。具体的には映像入力信号を映像出力信号に変換し、映像出力信号に基づいて、ＤＭＤ３５を制御する。ホイール制御部６５では、カラーホイール２０を所定の速度で駆動する。
【００１７】
図４では、光源の出射光量を調整した場合のカラーホイール２０を透過した光の明るさ変化を図示している。本実施形態ではカラーホイール２０がＲ（赤色）、Ｇ（緑色），Ｂ（青色）の３色のセグメントに分かれた例を示している。
【００１８】
まず、カラーホイール２０のセグメント毎に光源からの出射光量を変化させない場合を図５に示す。カラーホイール２０がロッドインテグレータ１５の出射側にあるため、色の出射光量変化期間(スポーク)では、画像中に垂直方向の色ムラ(グラデーション)が発生する。説明の図では、簡略化のため、上下２色で分け、色ムラを表現しており、カラーホイール２０は投写領域に対して、上から下方向へ回転している場合を示している。
【００１９】
図５に示すよう、カラーホイール２０のセグメント毎に光源からの出射光量を変化させない場合は、色の出射光量変化期間(スポーク)の出射光量を各色夫々について合算することで、色ムラのない白色になることがわかる。
【００２０】
例えば、第１スポークのＲ成分起因のムラと第３スポークのＲ成分起因のムラが合算することで色ムラが相殺される。Ｇ成分及びＢ成分についても同様である。
【００２１】
次に、図６では、カラーホイール２０のセグメント毎に光源１０の出射光量を調整し、特定色を強調した場合の例である。色の出射光量変化期間(スポーク)毎の出射光量の変化率をみると、
第１スポーク：１３０％−７０％＝＋６０％
第２スポーク：１１０％−１３０％＝−２０％
第３スポーク：７０％−１１０％＝−４０％
となる。例えば、Ｒ成分起因のムラを考えると第１スポークと第３スポークの出射光量の変化率が異なり、＋６０％−４０％＝＋２０％のムラが残存してしまう。同様の計算からＧ成分については＋４０％、Ｂ成分についてはー６０％のムラが残存することがわかる。
【００２２】
ここで、輝度を指標としたムラの視認性について考える。輝度ムラの視認性は各光源の出射光量に対する各光源の投写領域内の輝度変化量に依存する。色の出射光量変化期間においては、輝度変化量は上述の出射光量の変化量より求まるため、以下の計算式(式１)から求まるＹＲＧＢを輝度ムラ係数とし、輝度ムラの影響量の指標とする。
【００２３】
Ｘは白色を１．０とした時の各色成分の輝度比、ＳＵＢは各色成分における出射光量の変化率合算値、Ｌは各色成分におけるスポークの出射光量の平均値である。
【００２４】
各色成分が国際標準規格であるＳＲＧＢに近いＲＧＢ輝度比の場合、ＸＲは０．３、ＸＧは０．６、ＸＢは０．１となり、ＳＵＢＲは（１３０−７０）＋（７０−１１０）＝２０、ＳＵＢＧは（１３０−７０）＋（１１０＝１３０）＝４０、ＳＵＢＢは（１１０＝１３０）＋（７０＝１１０）＝−６０となる。
【００２５】
ＬＲは（７０＋１３０＋１１０＋７０）／４＝９５、ＬＧは（７０＋１３０＋１３０＋１１０）／４＝６２．９、ＬＢは（１３０＋１１０＋１１０＋７０）／４＝１０５となるため、
これらの値を下記の輝度ムラ係数算出式（式１）に代入すると、
ＹＲＢＧ＝ＸＲ×ＳＵＢＲ＋ＸＧ×ＳＵＢＧ＋ＸＢ×ＳＵＢＢ／ＸＲ×ＬＲ＋ＸＧ×ＬＧ＋ＸＢ＋ＬＢ・・・式１
ＹＲＧＢは、
０．３×２０＋０．６×４０＋０．１×６０／０．３×９５＋０．６×１１０＋０．１×１０５＝０．３４３
となる。
【００２６】
また、本実施形態において、輝度への貢献度が大きい緑色セグメントと、緑色セグメントの前後に配置されたセグメントとの出射光量変化期間における光源の出射光量の変化率の合計は、
（１３０−７０）＋（１１０＝１３０）＝＋４０
となっている。
【００２７】
また、輝度への貢献度が小さい赤色セグメントと、赤色セグメントの前後に配置されたセグメントとの出射光量変化期間における光源の出射光量の変化率の合計は、
（７０−１１０）＋（１３０―７０）＝＋２０
となっている。
【００２８】
また、輝度への貢献度が小さい青色セグメントと、青色セグメントの前後に配置されたセグメントとの出射光量変化期間における光源の出射光量の変化率の合計は、
（１１０−１３０）＋（７０―１１０）＝−６０
となっている。
【００２９】
輝度ムラ係数ＹＲＧＢが０．１以下となるように光源１０の出射光量を制御すれば、色ムラを視認できないレベルまで改善されていることが実験により確認されている。
【００３０】
従って、本実施形態では色ムラは改善できていないと言える。
【００３１】
また、この時の輝度への貢献度が大きい緑色成分セグメントと、緑色成分セグメントの前後に配置されたセグメントとの出射光量変化期間における光源の出射光量の変化率を合計した合計値、即ち、光源の出射光量の増減率を相殺した値は、０から遠く離れたものとなっている。
【００３２】
また、輝度への貢献度が大きい緑色成分セグメントと、緑色成分セグメントの前後に配置されたセグメントとの出射光量変化期間における光源の出射光量の変化率を合計した合計値、即ち、光源の出射光量の増減率を相殺した値は、
輝度への貢献度が小さい赤色成分セグメントと、赤色成分セグメントの前後に配置されたセグメントとの出射光量変化期間における光源の出射光量の変化率を合計した合計値、即ち、光源の出射光量の増減率を相殺した値と、
輝度への貢献度が小さい青色成分セグメントと、青色成分セグメントの前後に配置されたセグメントとの出射光量変化期間における光源の出射光量の変化率を合計した合計値、即ち、光源の出射光量の増減率を相殺した値とを合算した合算値とは絶対値が同じになっている。
（第２実施形態）
図７は第２実施形態のカラーホイール２０のセグメント毎で光源１０の出射光量を調整した例を示している。本実施形態では、低輝度セグメント(Ｒ)から高輝度セグメント(Ｇ)への変化量と、高輝度セグメント(Ｇ)から低輝度セグメント(Ｂ)への変化量が等しくなるように設定している。
【００３３】
また、図７では、図６と同等のＲＧＢ輝度比やホワイトバランスを実現するため、Ｒ成分のセグメントを小さくする代わりに出射光量を増加させ、Ｂ成分のセグメントを大きくする代わりに出射光量を減少させている。
【００３４】
色の出射光量変化期間(スポーク)毎の出射光量の変化率をみると、
第１スポーク：１１５％−９０％＝＋２５％
第２スポーク：９０％−１１５％＝−２５％
第３スポーク：９０％−９０％＝０％
となる。例えば、Ｒ成分起因のムラを考えると第１スポークと第３スポークの出射光量の変化率が異なり、＋２５％−０％＝＋２５％のムラが残存してしまう。同様の計算からＢ成分についてもー２５％のムラが残存することがわかる。但し、Ｇ成分については０％でありムラが残存していないことがわかる。
【００３５】
ここで、輝度を指標としたムラの視認性について考える。輝度ムラの視認性は各光源の出射光量に対する各光源の投写領域内の輝度変化量に依存する。色の出射光量変化期間においては、輝度変化量は上述の出射光量の変化量より求まるため、以下の計算式(式１)から求まるＹＲＧＢを輝度ムラ係数とし、輝度ムラの影響量の指標とする。
【００３６】
Ｘは白色を１．０とした時の各色成分の輝度比、ＳＵＢは各色成分における出射光量の変化率合算値、Ｌは各色成分におけるスポークの出射光量の平均値である。
【００３７】
各色成分が国際標準規格であるＳＲＧＢに近いＲＧＢ輝度比の場合、ＸＲは０．３、ＸＧは０．６、ＸＢは０．１となり、ＳＵＢＲは（９０−９０）＋（１１５−９０）＝２５、ＳＵＢＧは（１１５−９０）＋（９０−１１５）＝０、ＳＵＢＢは（９０−１１５）＋（９０−９０）＝−２５となる。
【００３８】
ＬＲは（９０＋９０＋９０＋１１５）／４＝９６．２５、ＬＧは（９０＋１１５＋１１５＋９０）／４＝１０２．５、ＬＢは（１１５＋９０＋９０＋９０）／４＝９６．２５となるため、
これらの値を下記の輝度ムラ係数算出式（式１）に代入すると、
ＹＲＢＧ＝ＸＲ×ＳＵＢＲ＋ＸＧ×ＳＵＢＧ＋ＸＢ×ＳＵＢＢ／ＸＲ×ＬＲ＋ＸＧ×ＬＧ＋ＸＢ＋ＬＢ・・・式１
ＹＲＧＢは、
０．３×２５＋０．６×０＋０．１×２５／０．３×９６．２５＋０．６×１０２．５＋０．１×９６．２５＝０．１
となる。
【００３９】
また、本実施形態において、輝度への貢献度が大きい緑色セグメントと、緑色セグメントの前後に配置されたセグメントとの出射光量変化期間における光源の出射光量の変化率を合計した合計値、即ち、光源の出射光量の増減率を相殺した値は、
（１１５−９０）＋（９０―１１５）＝０
となっている。
【００４０】
また、輝度への貢献度が小さい赤色成分セグメントと、赤色成分セグメントの前後に配置されたセグメントとの出射光量変化期間における光源の出射光量の変化率を合計した合計値、即ち、光源の出射光量の増減率を相殺した値は、
（９０−９０）＋（１１５―９０）＝＋２５
となっている。
【００４１】
また、輝度への貢献度が小さい青色成分セグメントと、青色成分セグメントの前後に配置されたセグメントとの出射光量変化期間における光源の出射光量の変化率を合計した合計値、即ち、光源の出射光量の増減率を相殺した値は、
（９０−１１５）＋（９０―９０）＝−２５
となっている。
【００４２】
輝度ムラ係数が０．１以下となるように光源１０の出射光量を制御すれば、色ムラを視認できないレベルまで改善されていることが実験により確認されている。
【００４３】
従って、本実施形態では色ムラは改善できていると言える。
【００４４】
また、輝度への貢献度が大きい緑色成分セグメントと、緑色成分セグメントの前後に配置されたセグメントとの出射光量変化期間における光源の出射光量の変化率を合計した合計値は０、即ち、光源の出射光量の増減率を全て相殺した値となっている。
【００４５】
従って、輝度への貢献度が大きい緑色セグメントと、緑色セグメントの前後に配置されたセグメントとの出射光量変化期間における光源の出射光量の増減率を全て相殺することによっても色ムラは改善できていると言える。
【００４６】
また、輝度への貢献度が小さい青色成分セグメントと、青色成分セグメントの前後に配置されたセグメントとの出射光量変化期間における光源の出射光量の変化率を合計した合計値、即ち、光源の出射光量の増減率を相殺した値と、
輝度への貢献度が小さい青色成分セグメントと、青色成分セグメントの前後に配置されたセグメントとの出射光量変化期間における光源の出射光量の変化率を合計した合計値、即ち、光源の出射光量の増減率を相殺した値とを合算した合算値も０となっている。
【００４７】
（第２実施形態の効果）
本発明により、色の出射光量変化期間(スポーク)を使用した場合でも映像中のムラを低減できる。また、輝度ムラ係数のうち、最も影響の大きい高輝度セグメントである緑色光の出射光量変化率合算値を低く抑えることで、輝度ムラを低減しながらもランプ光源の電流値変調による高輝度化を最大限発揮することができる。
(第３実施形態)
以下、図８〜９を用いて、本実施形態を説明する。
【００４８】
図８では、ＲＧＢＷの４色のカラーホイールに対して、光源の出射光量を調整した場合の明るさ変化を図示している。図９ではカラーホイールがＲＧＢＷの４色に分かれた例を示している。ＷのセグメントはＲ、Ｇ、Ｂの各色成分を有する。
色の出射光量変化期間(スポーク)毎の出射光量の変化率をみると、
第１スポーク：７０％−１００％＝−３０％
第２スポーク：１００％−７０％＝＋３０％
第３スポーク：１３０％−１００％＝＋３０％
第４スポーク：１００％−１３０％＝−３０％
となる。例えば、Ｇ成分起因のムラを考えるとＧセグメントの第３スポークと第４スポークの出射光量の変化率は０％であるが、Ｇ成分を含むＷセグメントの第１スポークと第４スポークの出射光量の変化率が−６０％であるので、ムラは−６０％となりＧ成分起因のムラが残存している。同様の計算からＢ成分起因のムは０％でムラは残存していないが、Ｒ成分については−６０％のムラが残存することがわかる。
【００４９】
ここで、輝度を指標としたムラの視認性について考える。輝度ムラの視認性は各光源の出射光量に対する各光源の投写領域内の輝度変化量に依存する。色の出射光量変化期間においては、輝度変化量は上述の出射光量の変化量より求まるため、以下の計算式(式２)から求まるＹＲＧＢＷを輝度ムラ係数とし、輝度ムラの影響量の指標とする。
【００５０】
Ｘは白色を１．０とした時の各色成分の輝度比、ＳＵＢは各色成分における出射光量の変化率合算値、Ｌは各セグメントにおけるスポークの出射光量の平均値である。
【００５１】
各色成分が国際標準規格であるＳＲＧＢに近いＲＧＢ輝度比の場合、ＸＲは０．３、ＸＧは０．６、ＸＢは０．１となり、
ＳＵＢＲについては、赤セグメントが（７０−１００）＋（１００−７０）＝０で白セグメントが（１００−１３０）＋（７０−１００）＝−６０であるので０−６０＝−６０となる。
【００５２】
ＳＵＢＧについては、緑セグメントが（１３０−１００）＋（１００−１３０＝０で白セグメントが−６０であるので０−６０＝−６０となる。
【００５３】
ＳＵＢＢについては青セグメントが（１００−７０）＋（１３０−７０）＝＋６０で白セグメントが−６０であるので＋６０−６０＝０となる。
【００５４】
ＬＲは（１００＋７０＋７０＋１００）／４＝８５、ＬＧは（１００＋１３０＋１３０＋１００）／４＝１１５、ＬＢは（７０＋１００＋１００＋１３０）／４＝１００、ＬＷは（１３０＋１００＋１００＋７０）／４＝１００となるため、
これらの値を下記の輝度ムラ係数算出式（式２）に代入すると、
ＹＲＢＧ＝ＸＲ×ＳＵＢＲ＋ＸＧ×ＳＵＢＧ＋ＸＢ×ＳＵＢＢ／ＸＲ×ＬＲ＋ＸＧ×ＬＧ＋ＸＢ＋ＬＢ＋ＸＷ＋ＬＷ・・・式２
ＹＲＧＢＷは、
０．３×６０＋０．６×６０＋０．１×０／０．３×８５＋０．６×１１５＋０．１×１００＋１．０×１００＝０．２６
となる。
【００５５】
また、この実施形態において、輝度への貢献度が大きい緑色成分についてセグメントとの出射光量変化期間における光源の出射光量の変化率を見ると、緑色成分は緑色セグメントと白色セグメントに含まれている。
【００５６】
緑色セグメントと、緑色セグメントの前後に配置されたセグメントとの出射光量変化期間における光源の出射光量の変化率と、白色セグメントと、白色セグメントの前後に配置されたセグメントとの出射光量変化期間における光源の出射光量の変化率との合算値は、
（（１３０−１００）＋（１００−１３０））＋（（１００−１３０）＋（７０−１００））＝−６０となっている。
【００５７】
また、輝度への貢献度が小さい赤色成分についてセグメントとの出射光量変化期間における光源の出射光量の変化率を見ると、赤色成分は赤色セグメントと白色セグメントに含まれている。
【００５８】
従って、赤色セグメントと、赤色セグメントの前後に配置されたセグメントとの出射光量変化期間における光源の出射光量の変化率と、白色セグメントと、白色セグメントの前後に配置されたセグメントとの出射光量変化期間における光源の出射光量の変化率との合算値は、
（（７０−１００）＋（１００―７０））＋（（１００−１３０）＋（７０−１００））＝−６０
となっている。
【００５９】
また、輝度への貢献度が小さい青色成分についてセグメントとの出射光量変化期間における光源の出射光量の変化率を見ると、青色成分は青色セグメントと白色セグメントに含まれている。
【００６０】
従って、青色セグメントと、青色セグメントの前後に配置されたセグメントとの出射光量変化期間における光源の出射光量の変化率と、白色セグメントと、白色セグメントの前後に配置されたセグメントとの出射光量変化期間における光源の出射光量の変化率との合算値は、
（（１００−７０）＋（１３０―１００））＋（（１００−１３０）＋（７０−１００））＝０
となっている。
【００６１】
輝度ムラ係数が０．１以下となるように光源１０の出射光量を制御すれば、色ムラを視認できないレベルまで改善されていることが実験により確認されている。
【００６２】
従って、本実施形態では輝度ムラ係数が０．２６であるので色ムラは改善できていないと言える。
【００６３】
また、輝度への貢献度が大きい緑色成分における光源の出射光量の変化率を相殺した合計値は０ではなく、０から遠く離れた値になっている。
【００６４】
また、輝度への貢献度が大きい緑色成分における光源の出射光量の変化率の合計値は、輝度への貢献度が小さい赤色成分における光源の出射光量の変化率の合計値と同じ値である。
【００６５】
また、輝度への貢献度が大きい緑色成分における光源の出射光量の変化率の合計値は、輝度への貢献度が小さい青色成分における光源の出射光量の変化率の合計値よりも０から遠く離れた値となっている。
【００６６】
従って、輝度への貢献度が大きい緑色成分における光源の出射光量の変化率を合計した合計値が０でない場合に、輝度への貢献度が大きい緑色成分における光源の出射光量の変化率の合計値が、輝度への貢献度が小さい色成分における光源の出射光量の変化率を合計した合計値と同じ値である場合。
【００６７】
或いは輝度への貢献度が大きい緑色成分における光源の出射光量の変化率を合計した合計値が、輝度への貢献度が小さい色成分における光源の出射光量の変化率を合計した合計値よりも０から遠く離れた値であれば色ムラは改善できていないと言える。
【００６８】
また、逆に輝度への貢献度が大きい緑色成分における光源の出射光量の変化率を合計した合計値が、輝度への貢献度が小さい色成分における光源の出射光量の変化率を合計した合計値よりも０に近い値であれば色ムラは改善できていると言える。
（第４実施形態）
以下、図１０を用いて、本実施形態を説明する。
【００６９】
本実施形態では、輝度への貢献度が高い緑色の色成分に着目し、緑色の色成分にかかわる出射光量の変化量の合算値が最小となるように制御する。図９と同等のＲＧＢ輝度比、ホワイトバランスとするため、赤色セグメントの電流値を増加させた分赤色セグメントの幅を小さくし赤色セグメントの幅を大きくした分赤色セグメントの電流値を減少させている。
色の出射光量変化期間(スポーク)毎の出射光量の変化率をみると、
第１スポーク：１１０％−１００％＝＋１０％
第２スポーク：８０％−１１０％＝−３０％
第３スポーク：１３０％−８０％＝＋５０％
第４スポーク：１００％−１３０％＝−３０％
となる。例えば、Ｇ成分起因のムラを考えるとＧセグメントの第３スポークと第４スポークの出射光量の変化率が＋２０％であるが、Ｇ成分を含むＷセグメントの第１スポークと第４スポークの出射光量の変化率が−２０％であるので０％となりＧ成分起因のムラが残存していない。同様の計算からＢ成分起因のムラも０％でムラは残存していないが、Ｒ成分については−４０％のムラが残存することがわかる。
【００７０】
ここで、輝度を指標としたムラの視認性について考える。輝度ムラの視認性は各光源の出射光量に対する各光源の投写領域内の輝度変化量に依存する。色の出射光量変化期間においては、輝度変化量は上述の出射光量の変化量より求まるため、以下の計算式(式２)から求まるＹＲＧＢＷを輝度ムラ係数とし、輝度ムラの影響量の指標とする。
【００７１】
Ｘは白色を１．０とした時の各色成分の輝度比、ＳＵＢは各色成分における出射光量の変化率合算値、Ｌは各セグメントにおけるスポークの出射光量の平均値である。
【００７２】
各色成分が国際標準規格であるＲＧＢに近いＲＧＢ輝度比の場合、ＸＲは０．３、ＸＧは０．６、ＸＢは０．１となる。
【００７３】
ＳＵＢＲについては赤セグメントが（１１０−１００）＋（８０−１１０）＝−２０で白セグメントが（１００−１３０）＋（１１０−１００）＝−２０であるので−２０−２０＝−４０となる。
【００７４】
ＳＵＢＧについては緑セグメントが（１３０−８０）＋（１００−１３０）＝＋２０で白セグメントが（１００−１３０）＋（１１０−１００）＝−２０であるので−２０＋２０＝０となる。
【００７５】
ＳＵＢＢについては青セグメントが（８０−１１０）＋（１３０−８０）＝＋２０で白セグメントが（１００−１３０）＋（１１０−１００）＝−２０であるので−２０＋２０＝０となる。
【００７６】
ＬＲは（１００＋１１０＋１１０＋８０）／４＝１００、ＬＧは（８０＋１３０＋１３０＋１００）／４＝１１０、ＬＢは（１１０＋８０＋８０＋１３０）／４＝１００、ＬＷは（１３０＋１００＋１００＋１１０）／４＝１１０となるため、
これらの値を下記の輝度ムラ係数算出式（式２）に代入すると、
ＹＲＢＧ＝ＸＲ×ＳＵＢＲ＋ＸＧ×ＳＵＢＧ＋ＸＢ×ＳＵＢＢ／ＸＲ×ＬＲ＋ＸＧ×ＬＧ＋ＸＢ＋ＬＢ＋ＸＷ＋ＬＷ・・・式２
ＹＲＧＢＷは、
０．３×４０＋０．６×０＋０．１×０／０．３×１００＋０．６×１１０＋０．１×１００＋１．０×１１０＝０．０５６
となる。
【００７７】
また、この実施形態において、輝度への貢献度が大きい緑色成分についてセグメントとの出射光量変化期間における光源の出射光量の変化率を見ると、緑色成分は緑色セグメントと白色セグメントに含まれている。
【００７８】
緑色セグメントと、緑色セグメントの前後に配置されたセグメントとの出射光量変化期間における光源の出射光量の変化率と、白色セグメントと、白色セグメントの前後に配置されたセグメントとの出射光量変化期間における光源の出射光量の変化率とを合計した合算値は、
（（１３０−８０）＋（１００−１３０））＋（（１００−１３０）＋（１１０−１００））＝０となっている。
【００７９】
また、輝度への貢献度が小さい赤色成分についてセグメントとの出射光量変化期間における光源の出射光量の変化率を見ると、赤色成分は赤色セグメントと白色セグメントに含まれている。
【００８０】
従って、赤色セグメントと、赤色セグメントの前後に配置されたセグメントとの出射光量変化期間における光源の出射光量の変化率と、白色セグメントと、白色セグメントの前後に配置されたセグメントとの出射光量変化期間における光源の出射光量の変化率とを合計した合算値は、
（（１１０−１００）＋（８０―１１０））＋（（１００−１３０）＋（１１０−１００））＝−４０
となっている。
【００８１】
また、輝度への貢献度が小さい青色成分についてセグメントとの出射光量変化期間における光源の出射光量の変化率を見ると、青色成分は青色セグメントと白色セグメントに含まれている。
【００８２】
青色セグメントと、青色セグメントの前後に配置されたセグメントとの出射光量変化期間における光源の出射光量の変化率と、白色セグメントと、白色セグメントの前後に配置されたセグメントとの出射光量変化期間における光源の出射光量の変化率とを合計した合算値は、
（（８０−１１０）＋（１３０―８０））＋（（１００−１３０）＋（１１０−１００））＝０
となっている。
【００８３】
輝度ムラ係数が０．１以下となるように光源１０の出射光量を制御すれば、色ムラを視認できないレベルまで改善されていることが実験により確認されている。
【００８４】
従って、本実施形態では輝度ムラ係数が０．０５６であるので色ムラは改善できていると言える。
【００８５】
また、輝度への貢献度が大きい緑色成分セグメントと、緑色成分セグメントの前後に配置されたセグメントとの出射光量変化期間における光源の出射光量の変化率を合計した合計値は０となっており、輝度への貢献度が大きい緑色セグメントと、緑色セグメントの前後に配置されたセグメントとの出射光量変化期間における光源の出射光量の増減率を全て相殺することによっても色ムラは改善できていると言える。
（第４実施形態の効果）
本発明により、４色以上のカラーホイールを使用した場合においても、第２実施形態の３色のカラーホールと同様に色の出射光量変化期間(スポーク)を使用による映像中のムラを低減できる。
（第５実施形態）
第２制御ユニット８０により映像入力信号を解析して光源を制御することにより色出射光量変化期間の色ムラを改善する例を図１１に示す。
【００８６】
解析部７０は、映像入力信号を解析する。具体的には、解析部は、１フレームに対応する映像入力信号の輝度・彩度・色相成分のうち少なくとも１つの成分を解析する。
【００８７】
例えば彩度成分を解析する場合の例を示すと、解析部は、フレームを構成する複数の画素毎の映像入力信号に基づいて、映像入力信号の彩度成分の最大値を入力信号彩度として取得する。
【００８８】
または、解析部７０は、フレームを構成する複数の画素毎の映像入力信号に基づいて、映像入力信号の彩度成分の平均値を入力信号彩度として取得してもよい。
【００８９】
または、解析部７０は、彩度情報に加え、輝度や色相情報を解析し、入力信号彩度に付加しても良い。具体的には画素ごとの彩度と輝度を乗算し、入力信号彩度として取得しても良い。
【００９０】
又は、解析部７０は、映像入力信号の彩度成分毎に画素の頻度（画素数）を示すヒストグラムを生成してもよい。
【００９１】
このようなケースでは、解析部７０は、フレームを構成する複数の画素毎の映像入力信号に基づいて、映像入力信号の彩度成分の分散値を入力信号彩度として取得してもよい。
【００９２】
算出部７５は、カラーホイールのＲ、Ｇ、Ｂ，Ｗ各期間に同期して、光源から出射される前記ＲＧＢＷそれぞれの期間中の光量を算出する。例えば、所定の光量比となるＲＧＢＷの各期間に対して、解析部７０で求めた入力信号彩度に基づいて光量比を変更する。
【００９３】
ここで、色鮮やかな映像では、カラーホイール２０のＲＧＢの期間で光源光量を増加させることで、色鮮やかさを強調することができ、明るい映像ではＷの期間の光源光量を増加させることで、明るさを協調することができる。
【００９４】
算出部７５は、前後フレームの相関から光量比を算出しても良い。たとえば、前フレームより入力信号彩度が増加していれば、ＲＧＢ期間の光量を増加させ、Ｗ期間の光量を減少させる。その際、ＲＧＢそれぞれの期間の光量比は制御を簡単化するため一定としても良い。入力信号彩度が前フレームより減少していれば、
ＲＧＢ期間の光量を減少させ、Ｗ期間の光量を増加させる。算出の際には、３セグメントのカラーホイールの場合は式１を、４セグメント以上のカラーホイールの場合は、式２を満たすことに留意する。
（その他の実施の形態）
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９５】
上述した実施形態では、４色セグメントのカラーホールとしてＲＧＢＷのカラーホイールについて例示したが、３原色のＲＧＢに追加される第４色セグメントはＷに限定されるものではない。第４色セグメントとしてＣ（シアン）、Ｙ（イエロー）、Ｍ（マゼンタ）、ＲＧＢの何れかの単色で３原色のＲＧＢとは波長が異なるＲＧＢでもよい。
【００９６】
また、カラーホールの色数は３色及び４色に限定されるものではない。５色、６色、７色セグメントのカラーホールでもよい。この時、第５色セグメントとしては第４色セグメントとは異なるＣ、Ｙ、Ｍ、Ｗ、或いはＲＧＢの何れかの単色で３原色のＲＧＢとは波長が異なるＲＧＢの中から選択した１色でよい。
【００９７】
また、第６色セグメントとしては、第４色及び第５色セグメントとは異なる、Ｃ、Ｙ、Ｍ、Ｗ、或いはＲＧＢの何れかの単色で３原色のＲＧＢとは波長が異なるＲＧＢの中から選択した１色でよい。また、第７色セグメントとしては、第４色乃至第６色セグメントとは異なる、Ｃ、Ｙ、Ｍ、Ｗ、或いはＲＧＢの何れかの単色で３原色のＲＧＢとは波長が異なるＲＧＢの中から選択した１色でよい。
【産業上の利用可能性】
【００９８】
本開示は、プロジェクタ等の映像表示装置に適用できる。
【符号の説明】
【００９９】
１０    光源
１５    ロッドインテグレータ
２０    カラーホイール
２５    導光光学系
３０    プリズム
３５    ＤＭＤ
４０    投写レンズ
４５    制御ユニット
５０    信号受付部
５５    光源制御部
６０    素子制御部
６５    ホイール制御部
７０      解析部
７５    算出部
８０    第２制御ユニット
１００  プロジェクタ
１１０  スクリーン
【図１】
2015170876.tif 000003
【図２】
2015170876.tif 000004
【図３】
2015170876.tif 000005
【図４】
2015170876.tif 000006
【図５】
2015170876.tif 000007
【図６】
2015170876.tif 000008
【図７】
2015170876.tif 000009
【図８】
2015170876.tif 000010
【図９】
2015170876.tif 000011
【図１０】
2015170876.tif 000012
【図１１】
2015170876.tif 000013